(57)【要約】      （修正有）【課題】組み立てが容易であり、その分解も容易になし得ることで、持ち運びの利便性を確保することができる組立式水槽を提供する。【解決手段】左右に配置された第１の側板１と、前後に配置された第２の側板２における各側縁を突き合わせることで角柱状の外郭が形成される。また前記各側板１，２によって囲まれた下底部に底板を配置することで、組立式水槽が構成される。前記各側板１，２によって囲まれた内側の隅角部に沿って、隣接する前記各側板１，２同志を連結する高さ方向に長い連結体３が装着され、前記連結体３の装着状態において、前記連結体に形成された平板部３ａによって、前記各隅角部を内側から覆うように構成される。【選択図】図１
0003180589.tif 000002
【実用新案登録請求の範囲】
【請求項１】
複数枚の側板における各側縁を突き合わせることで角柱状の外郭を形成し、前記各側板によって囲まれた下底部に底板を配置することで形成される組立式水槽であって、
前記各側板によって囲まれた内側の隅角部に沿って、隣接する前記各側板同志を連結する高さ方向に長い連結体が装着され、前記連結体の装着状態において、前記連結体に形成された平板部によって、前記各隅角部を内側から覆うように構成したことを特徴とする組立式水槽。
【請求項２】
前記連結体の両側縁には、前記平板部を中央にして当該平板部に対してそれぞれ鋭角状に折り曲げられて係合片が形成されると共に、前記各側板の側縁に沿ってそれぞれ取り付けられた各コーナーガイドと前記各側板との間には、前記係合片が挿入される空間部が形成され、隣接する各側板とコーナーガイドとの間の前記各空間部に、前記連結体の各係合片がそれぞれ挿入されることで、各側板が突き合わせ状態に連結されることを特徴とする請求項１に記載された組立式水槽。
【請求項３】
前記各側板によって囲まれた下底部に、前記底板を支持するためのＬ字状に折り曲げ形成された支持部材が、前記側板にそれぞれ取り付けられると共に、前記支持部材を貫通して前記底板に螺着される装着ねじによって、前記底板を前記各側板によって囲まれた下底部に、着脱可能に取り付けたことを特徴とする請求項１または請求項２に記載された組立式水槽。
【請求項４】
前記底板には、当該底板の各隅角部の底面に側板ガードが取り付けられ、前記底板を前記支持部材を利用して各側板によって囲まれた下底部に取り付けた状態において、前記側板ガードに一体に成形された立上がり片が、隣接する各側板の表面側に位置するように構成したことを特徴とする請求項３に記載された組立式水槽。
【請求項５】
前記各側板の側縁における前記突き合わせ部には、各側板と一体に各側板の内側に向かう平面状の折り曲げ部が形成され、隣接する各側板における平面状の折り曲げ部が突き合わされて接合されることを特徴とする請求項１ないし請求項４のいずれか１項に記載された組立式水槽。
【請求項６】
前記各側板によって囲まれた上部開口を覆う蓋体が備えられ、前記蓋体はヒンジ部材により折り曲げ可能に連結された第１と第２の蓋体部材により構成され、
前記蓋体によって前記上部開口を覆った状態における前記第１の蓋体部材の内面には、第１の蓋体部材の面に沿ってスライドして、前記側板の一部に形成された係合孔に係合するシャフトを備えた蓋体の取り付け機構が装着され、
前記上部開口を覆った状態における前記第２の蓋体部材の表面には、前記側板との間で閉塞状態を維持する掛け金が取り付けられていることを特徴とする請求項１ないし請求項５のいずれか１項に記載された組立式水槽。
【請求項７】
前記複数の側板のうちの少なくとも１枚の側板の外側面には、ロープが締結可能なフック部材が取り付けられていることを特徴とする請求項１ないし請求項６のいずれか１項に記載された組立式水槽。
【請求項８】
前記各側板によって囲まれて上部開口を形成する各側板の上縁部は、内側に二段の折り曲げ加工が施されることで、二段折り曲げ部が形成され、
前記各側板によって囲まれた内側の隅角部に沿って配置され、隣接する前記各側板同志を連結する前記連結体には、当該連結体の上端部において、前記二段折り曲げ部によって形成される隅角部を内側から覆う矩形状平板部が、前記連結体の平板部と一体に形成されていることを特徴とする請求項１ないし請求項７のいずれか１項に記載された組立式水槽。
【考案の詳細な説明】
【技術分野】
【０００１】
この考案は、例えば小型魚の飼育用水槽、もしくは捕獲魚等を生かした状態で一時的に収容するに適した組立式水槽に関する。
【背景技術】
【０００２】
例えば鮎釣りなどにおいては、おとり鮎を利用して、いわゆる友釣りを行うことが多く、したがって、おとり鮎または釣り上げた鮎を、生きた状態で収容するための水中に沈ませて利用する箱型の水槽または曳舟と称する用具が用いられる。これは特許文献１または２などに開示されている。
【０００３】
また、前記した鮎釣りに限らず、釣り上げた魚（捕獲魚）を生かした状態で収容するために、釣り場の水中に沈ませた状態で利用することができるトランク型の魚収容ケースも提案されており、これは特許文献３などに開示されている。
【先行技術文献】
【特許文献】
【０００４】
【特許文献１】実開昭６３−１０７１６３号公報
【特許文献２】実開平０４−１２７１７８号公報
【特許文献３】実開平０４−０１９１８２号公報
【考案の概要】
【考案が解決しようとする課題】
【０００５】
ところで、前記した各特許文献に開示された水槽もしくはケース状の用具は、その外形が箱型に構成されると共に、その外側の適所に複数個の通水用の孔が形成されている。
したがって、これを釣り場の水中内に沈ませた状態に設置することで、内部に水が流入して、内部の水温の上昇および酸素欠乏が防止できるようになされる。
【０００６】
しかしながら、前記した水槽もしくはケースは、外郭が箱型になされていることから持ち運びが極めて不便である。特に釣り場等には、他に釣竿やこれに付随する用具も同時に持ち運ぶ必要性があり、したがって、外郭がかさばる前記した水槽もしくはケースについては、その持ち運びについての対策が望まれるところである。
【０００７】
この考案は、前記した従来のものの問題点に着目してなされたものであり、例えば前記した釣り場などの現場において容易に組み立てることができ、その分解撤去も容易になし得ることで、持ち運びの利便性を確保することができる組立式水槽を提供することを課題とするものである。
【課題を解決するための手段】
【０００８】
前記した課題を解決するためになされたこの考案にかかる組立式水槽は、複数枚の側板における各側縁を突き合わせることで角柱状の外郭を形成し、前記各側板によって囲まれた下底部に底板を配置することで形成される組立式水槽であって、前記各側板によって囲まれた内側の隅角部に沿って、隣接する前記各側板同志を連結する高さ方向に長い連結体が装着され、前記連結体の装着状態において、前記連結体に形成された平板部によって、前記各隅角部を内側から覆うように構成したことを特徴とする。
【０００９】
この場合、前記連結体の両側縁には、前記平板部を中央にして当該平板部に対してそれぞれ鋭角状に折り曲げられて係合片が形成されると共に、前記各側板の側縁に沿ってそれぞれ取り付けられた各コーナーガイドと前記各側板との間には、前記係合片が挿入される空間部が形成され、隣接する各側板とコーナーガイドとの間の前記各空間部に、前記連結体の各係合片がそれぞれ挿入されることで、各側板が突き合わせ状態に連結されて水槽が組み立てられる。
【００１０】
そして好ましくは、前記各側板によって囲まれた下底部に、前記底板を支持するためのＬ字状に折り曲げ形成された支持部材が、前記側板にそれぞれ取り付けられると共に、前記支持部材を貫通して前記底板に螺着される装着ねじによって、前記底板を前記各側板によって囲まれた下底部に、着脱可能に取り付けた構成が採用される。
【００１１】
これに加えて、前記底板には当該底板の各隅角部の底面に側板ガードが取り付けられ、前記底板を前記支持部材を利用して各側板によって囲まれた下底部に取り付けた状態において、前記側板ガードに一体に成形された立上がり片が、隣接する各側板の表面側に位置するように構成することが望ましい。
【００１２】
一方、前記各側板の側縁における前記突き合わせ部には、各側板と一体に各側板の内側に向かう平面状の折り曲げ部が形成され、隣接する各側板における平面状の折り曲げ部が突き合わされて接合する構成も好適に採用することができる。
【００１３】
また、好ましい他の形態においては、前記各側板によって囲まれた上部開口を覆う蓋体が備えられ、前記蓋体はヒンジ部材により折り曲げ可能に連結された第１と第２の蓋体部材により構成される。加えて、前記蓋体によって前記上部開口を覆った状態における前記第１の蓋体部材の内面には、第１の蓋体部材の面に沿ってスライドして、前記側板の一部に形成された係合孔に係合するシャフトを備えた蓋体の取り付け機構が装着され、前記上部開口を覆った状態における前記第２の蓋体部材の表面には、前記側板との間で閉塞状態を維持する掛け金が取り付けられた構成が採用される。
【００１４】
さらに、前記複数の側板のうちの少なくとも１枚の側板の外側面には、ロープが締結可能なフック部材が取り付けられた構成が採用される。
【００１５】
そして、前記各側板によって囲まれて上部開口を形成する各側板の上縁部は、内側に二段の折り曲げ加工が施されることで、二段折り曲げ部が形成され、また前記各側板によって囲まれた内側の隅角部に沿って配置され、隣接する前記各側板同志を連結する前記連結体には、当該連結体の上端部において、前記二段折り曲げ部によって形成される隅角部を内側から覆う矩形状平板部が、前記連結体の平板部と一体に形成された構成を採用することもできる。
【考案の効果】
【００１６】
前記した組立式水槽によると、複数枚の側板における各側縁を突き合わせることで角柱状の外郭が形成され、各側板によって囲まれた下底部に底板が配置されることで組み立てられる。この場合、各側板によって囲まれた内側の隅角部に沿って、隣接する前記各側板同志を連結する高さ方向に長い平板部を備えた連結体を装着される。したがって、各側板の突き合わせにより生ずる水槽内の隅角部は、前記した連結体の平板部によって水槽の内側から覆われる構成となる。
【００１７】
一般に魚類は、水中を直進する習性があることから、水槽内には直交するような隅角部を無くすことが望ましく、この考案に係る組立式水槽によると、前記した隣接した各側板を連結させる連結体によって、隅角部を内側から覆うことで、より好ましい成育環境を形成することができる。
【００１８】
また、前記した各側板の下側縁に、底板を支持するための支持部材を取り付けておくことで、複数個の着脱可能な装着ねじを利用することで、底板を前記各側板によって囲まれた下底部に、着脱可能に取り付けることができる。
したがって、この考案に係る組立式水槽によると、基本的には複数の側板と底板とにより構成されるので、その組み立ておよび分解撤去も容易になし得ることができ、さらに持ち運びの利便性も確保することができる。
【図面の簡単な説明】
【００１９】
【図１】この考案に係る組立式水槽について、組み立てた状態の全体構成を示した斜視図である。
【図２】図１におけるＡ−Ａ線より矢印方向に見た状態の部分拡大断面図である。
【図３】図１におけるＢ−Ｂ線より矢印方向に見た状態の部分拡大断面図である。
【図４】水槽の側面を構成する第１の側板の単体構成を内側から見た状態の斜視図である。
【図５】第１の側板に直交するように配置される第２の側板の単体構成を内側から見た状態の斜視図である。
【図６】第１の側板に取り付けられる第１のコーナーガイドの単体構成を示した斜視図である。
【図７】第２の側板に取り付けられる第２のコーナーガイドの単体構成を示した斜視図である。
【図８】隣接する各コーナーガイド間に係止する連結体の単体構成を示した斜視図である。
【図９】第１の側板に取り付けられる第１の底板支持部材の単体構成を示した斜視図である。
【図１０】第２の側板に取り付けられる第２の底板支持部材の単体構成を示した斜視図である。
【図１１】底板を裏面から見た状態の斜視図である。
【図１２】底板の裏面に取り付けられるナット板を拡大して示した正面図である。
【図１３】底部の隅角部に取り付けられる側板ガードの単体構成を示した斜視図である。
【図１４】水槽の上部開口を覆う蓋体の単体構成を内側から見た状態の斜視図である。
【図１５】組立式水槽の第２の実施の形態を示した要部の模式図である。
【図１６】組立式水槽の第３の実施の形態を示した要部の模式図である。
【図１７】水槽の上部開口を覆う蓋体の他の形態を示した斜視図である。
【図１８】図１７におけるＣ−Ｃ線より矢印方向に見た状態の蓋体の取り付け機構を示す模式図である。
【図１９】隣接する各コーナーガイド間に係止する連結体の他の形態を示した斜視図である。
【図２０】図１９に示す連結体を装着した状態の水槽の隅角部を示す部分斜視図である。
【考案を実施するための形態】
【００２０】
この考案の組立式水槽について、図に示す実施の形態に基づいて説明する。
図１は、水槽を組み立てた状態の全体構成を模式的に示した斜視図であり、この図１に示す実施の形態においては、左右（奥行き方向）の各側板が同一寸法に形成され、また前後の各側板も同一寸法に形成されており、これにより全体が角柱状（直方体形状）の外郭を構成している。そして図１には示されていないが、前記した前後左右の各側板によって囲まれた下底部に矩形状の底板が配置され、これにより水槽の基本形態を構成している。  なお、以下に示す実施の形態においては、前記した各側板および底板等を含むその他の部材についても、１．５ｍｍ程度の厚さのアルミニウムの板材を用いて成形されている。
【００２１】
図１において左右（奥行き方向）に配置された各側板を説明の便宜上、第１の側板と呼び、これを符号１で示しており、前後に配置された各側板を第２の側板と呼び、これを符号２で示している。
また、図１に示されたように、各側板１，２によって囲まれた内側の隅角部に沿って、前記各側板同志を連結する高さ方向に長い連結体３が装着され、前記連結体３の装着によって、前記連結体３に形成された平板部３ａが、前記各隅角部を内側から覆うように構成されている。
【００２２】
なお、図１においては前記連結体３が、１か所の隅角部に装着された様子が示されているが、前記連結体３は残りの３か所の隅角部にもそれぞれ同様に装着されている。これは、後述する第１と第２のコーナーガイドを利用することで、隣接する各側板１，２が連結されており、その詳細な構成は後で説明する。
この構成によって、各側板１，２の突き合わせ部分に形成される内側隅角部は、前記連結体３の平板部３ａによって覆われ、組み立てられた状態の水槽内は、各側板１，２によって直交する隅角部を無くすことができる。
【００２３】
図２は、図１におけるＡ−Ａ線より矢印方向に見た状態の部分拡大断面図であり、第１と第２の各側板１，２の突き合わせ部分を示すものである。
第１の側板１は、図４にその単体構成が示されているとおり、側板１の両側縁は、内側に９０度の角度をもって折り曲げられて折り曲げ部１ａを形成しており、その上端部、すなわち水槽を形成した時の上部開口縁を構成する部分は、内側に二段の折り曲げ加工が施されて、二段折り曲げ部１ｂを構成している。
なお、前記した第１の側板１には、適宜の位置に通水用の開口１ｃが複数個施されている。
【００２４】
また、第２の側板２は、図５にその単体構成が示されているとおり、前記した第１の側板１に比較して、その幅が若干狭く構成されており、この第２の側板２の上端部、すなわち水槽を形成した時の上部開口縁を構成する部分は、第１の側板１と同様に内側に二段の折り曲げ加工が施されて、二段折り曲げ部２ｂを構成している。
【００２５】
図２に示されているように、第１の側板１の高さ方向に沿って、第１のコーナーガイド４が、リベット１３により第１の側板１に取り付けられている。この第１のコーナーガイド４は、その単体構成が図６に示されているように、第１の側板１に取り付けられる取り付け面（コーナーガイド４と同一符号で示す。）に対して、段部が施されて係止片４ａが形成されており、第１のコーナーガイド４を第１の側板１に取り付けた状態で、図２に示すように前記係止片４ａと第１の側板１との間に隙間が形成される。
【００２６】
また、前記第１のコーナーガイド４には、図６に示すように係止片４ａの形成位置に対して幅方向の反対側が９０度折り曲げられることにより、折り曲げ部４ｂが一体に形成されている。
前記した第１のコーナーガイド４は、図２に示されているように、その折り曲げ部４ｂが第１の側板の折り曲げ部１ａとの間に所定の隙間が形成されるように、前記リベット１３により第１の側板１に取り付けられている。
【００２７】
図２に示されているように、第２の側板２の高さ方向に沿って、第２のコーナーガイド５が、リベット１３により第２の側板２に取り付けられている。この第２のコーナーガイド５は、その単体構成が図７に示されているように、第２の側板２に取り付けられる取り付け面（コーナーガイド５と同一符号で示す。）に対して、段部が施されて係止片５ａが形成されており、第２のコーナーガイド５を第２の側板２に取り付けた状態で、図２に示すように前記係止片５ａと第２の側板２との間に隙間が形成される。
また、第２のコーナーガイド５は、係止片５ａの形成位置に対して幅方向の反対側が、第２の側板２の側縁よりも突出するようにして、リベット１３により第２の側板２に取り付けられている。
【００２８】
この構成により、第２の側板２からのコーナーガイド５の突出部分を、第１の側板１の折り曲げ部１ａと第１のコーナーガイド４の折り曲げ部４ｂとの間に形成された隙間に挿入することで、図２に示すように第１と第２の側板１，２の側縁が互いに突き合わされるようにして組むことができる。
同様にして、左右（奥行き方向）の各側板１および前後の各側板２による他の突き合わせ部分も同様に組み合わせることで、４枚の側板１，２により角柱状（直方体形状）の外郭を形成することができる。
そして、４枚の側板１，２により角柱状の外郭を形成させた状態において、すでに説明した連結体３を利用して、各側板１，２を突き合わせ状態に連結するようになされる。
【００２９】
前記した連結体３の単体構成が図８に示されており、この連結体３はすでに説明したとおり、高さ方向に長い平板部３ａを中央にして当該平板部３ａに対してそれぞれ鋭角状に折り曲げられた一対の係合片３ｂが形成されている。この例においては、平板部３ａに対して係合片３ｂがそれぞれ４５度の角度をもって互いに内側に向かって折り曲げられている。
【００３０】
この連結体３は、図２に示すように一対の係合片３ｂが、第１のコーナーガイド４の係止片４ａと第１の側板１との間に形成された隙間、および第２のコーナーガイド５の係止片５ａと第２の側板２との間に形成された隙間にそれぞれ挿入されることで装着され、これにより、隣接する前記各側板１，２同志を連結するように機能する。これにより前記したとおり、連結体３に形成された平板部３ａによって、各側板１，２の突き合わせ部分の隅角部を内側から覆うことができる。
なおこの実施の形態においては、前記連結体３は前記各側板１，２の側縁を突き合わせた状態で、底部側から挿入することで、図２に示した状態に装着することができる。
【００３１】
図３は、図１におけるＢ−Ｂ線より矢印方向に見た状態の部分断面図であり、第１の側板１に対する支持部材６および底板８の取り付け状態を示すものである。
前記した第１の側板１のほぼ中央部における内側の下側縁には、図３に示すように第１の支持部材６が、第１の側板１の下側縁に沿って、リベット１３により取り付けられている。
【００３２】
この第１の支持部材６は、その単体構成が図９にも示されているように、第１の側板１に取り付けられる取り付け部６ａに対して、９０度折り曲げられて後述する底板８が当接される底板当接部６ｂが形成されている。また底板当接部６ｂに連続してさらに９０度折り曲げられて、幅の狭い挿入片６ｃが形成されている。
この挿入片６ｃは、図３に示されているように後述する底板８に形成されたスリット８ｂに挿入される。なお、前記底板当接部６ｂの中央部における挿入片６ｃに隣接する部分には、装着ねじ１２が挿通される貫通孔６ｄが形成されている。
【００３３】
図１０は、第２の支持部材７の単体構成を示したものであり、この第２の支持部材７は、第２の側板２の下側縁に沿って取り付けられるものであり、その取り付け状況は図３に示した例と同様である。
この第２の支持部材７においても、すでに説明した第１の支持部材６と同様に、取り付け部７ａ、底板当接部７ｂ、挿入片７ｃ、貫通孔７ｄが備えられている。ただし第２の支持部材７の長さ寸法は、第１の支持部材６の長さ寸法よりも若干短く形成されている。
【００３４】
図１１は、前記した各側板１，２によって囲まれた下底部に配置される矩形状の底板８であり、この底板８の四辺には、二段の折り曲げ部８ａが裏面に向かって形成されて補強されると共に、四辺に厚さを持たせた構成にされている。
加えて、底板８の各四辺のほぼ中央部には、前記折り曲げ部８ａに近接して、それぞれ各辺に沿ってスリット８ｂが施されており、さらに底板８の裏面における前記スリット８ｂと折り曲げ部８ａとの間には、図１２に拡大して示したナット板９が取り付けられている。このナット板９の中央部には、装着ねじ１２が螺着されるねじ孔９ａが形成されると共に、その両側にはナット板９を底板８の裏面に取り付けるためのリベット挿入孔９ｂが形成されている。
【００３５】
図１３は、前記した底板８における各隅角部の底面に取り付けられる側板ガード１０を示すものであり、この側板ガード１０は、底板８に形成された前記折り曲げ部８ａにおける底板８に平行する先端側の折り曲げ部に、リベットを利用して取り付けられる。
前記側板ガード１０には、直交するようにして一対の立上がり片１０ａが形成されており、この側板ガード１０を底板８の四隅にそれぞれ取り付けた状態で、各側板１，２によって囲まれた下底部側から挿入することで、側板ガード１０に形成された前記立上がり片１０ａは、隣接する各側板１，２の表面側に位置するようになされる。その状況は、図１に模式的に示したとおりである。
【００３６】
斯くして、各側板１，２によって囲まれた下底部に、前記底板８を下底部側から挿入することで、図３に示したように第１の支持部材６に形成された挿入片６ｃが、底板８に形成されたスリット８ｂ内に入り込んで両者の位置決めがなされる。これは、前記した第２の側板２に取り付けられた支持部材７と底板８との関係についても同様である。          この状態において、第１および第２の支持部材６，７にそれぞれ形成された貫通孔６ｄ，７ｄに装着ねじ１２をねじ込むことで、装着ねじ１２は前記した底板８の裏面に取り付けられたナット板９のねじ孔９ａに螺着され、水槽が組み立てられる。
【００３７】
図１４は、以上のようにして組み立てられた水槽における上部開口を、必要に応じて覆う蓋体１１を示しており、この蓋体１１はその四辺に下向きの折り曲げ部１１ａがそれぞれ形成されており、この四辺の折り曲げ部１１ａにより位置決めされて、組み立てられた水槽における上部開口覆うことができる。
【００３８】
前記した水槽は、組み立てられた状態で、例えば釣り場の水中内に沈ませた状態にすることで、側板１に形成された通水用開口１ｃを介して内部に水が流入し、内部の水温の上昇および酸素欠乏が防止できるようになされる。
また、水槽内にいわゆるビニール袋を敷くようにして設置することで、陸上においても同様の水槽として利用することができる。
そして、組み立てられた状態の水槽は、前記した組み立て順とは逆に、四本の装着ねじ１２を取り外し、また４本の連結体３を引き抜くことで、解体することが可能であり、前記した考案の効果の欄に記載したとおりの作用効果を期待することができる。
【００３９】
図１５は、この考案に係る組立式水槽の他の実施の形態を示したものであり、これはすでに説明した第１の実施の形態を示す図２に対応するものである。したがって、図２に示す各部と同一の機能を果たす部分を同一符号で示しており、その詳細な説明は省略する。  この図１５に示す形態においては、前記した各側板１，２の突き合わせ部には、各側板１，２と一体に各側板の内側に向かう平面状の折り曲げ部１ｄ，２ｄが形成されている。
【００４０】
そして、隣接する各側板１，２における平面状の折り曲げ部１ｄ，２ｄが、隅角部において突き合わされて接合されており、平面状の折り曲げ部１ｄ，２ｄが位置する隅角部を、連結体３に形成された平板部３ａが、内側から覆うように構成されている。
【００４１】
図１６は、この考案に係る組立式水槽のさらに他の実施の形蓋体の取り付け機構を示す態を示したものであり、これは前記した第１と第２の各側板１，２の突き合わせ部を上部から見た状態で示している。なお、図１６においては、すでに説明した各部と同一の機能を果たす部分を同一符号で示しており、その詳細な説明は省略する。
この図１６に示す形態においては、各側板１，２の上部開口部分に形成された二段折り曲げ部１ｂ，２ｂの内側の折り曲げ部に、第１および第２のコーナーガイド４，５がそれぞれ取り付けられている。
【００４２】
そして、二段折り曲げ部１ｂ，２ｂの内側の折り曲げ部に取り付けられた第１および第２のコーナーガイド４，５を利用して、一対の係合片３ｂを備えた連結体３が装着され、隣接する各側板１，２が突き合わされた状態に連結されている。
この構成によると、水槽の組み立てに際して、側板１，２を連結するための連結体３を、上部開口側から装着することができる。
【００４３】
すなわち、図１〜図１４に示した第１の実施の形態においては、側板１，２の上側縁に形成した二段折り曲げ部１ｂ，２ｂが妨げになるため、連結体３を下底部側から装着せざるを得ないところ、この図１６に示した形態においては、その制約を解除することができるものとなる。
【００４４】
次に図１７は、この考案に係る組立式水槽において好適に利用することができる蓋体の他の形態を示したものである。
この図１７に示す蓋体１５は、ほぼ中央部においてヒンジ部材１６により折り曲げ可能に連結された第１と第２の蓋体部材１５Ａ，１５Ｂにより構成されており、第１と第２の蓋体部材１５Ａ，１５Ｂの各辺には、下向きの折り曲げ部１５ａが形成されている。
【００４５】
図１８は、図１７におけるＣ−Ｃ線より矢印方向に見た状態の断面図であり、前記第１の蓋体部材１５Ａの内面に装着された蓋体の取り付け機構を示すものである。
この取り付け機構は、第１の蓋体部材１５Ａの内面に例えばリベットにより取り付けられ、その両端部がＬ字状に折り曲げられた取り付け金具１７を利用して、丸棒の金属による一対のシャフト１８が、第１の蓋体部材１５Ａの内面に沿ってスライドできるように取り付けられている。
【００４６】
前記一対のシャフト１８には、当該シャフト１８の軸方向に直交するようにして触指部１８ａがそれぞれ形成されており、また各シャフト１８を捲装するようにして装着されたコイルバネ１９によって、各シャフト１８を両外側に向かって付勢するように構成されている。加えて、対向する第１の側板１にそれぞれ形成された折り曲げ部１ｂの垂直面には、前記した各シャフト１８の先端部を挿入することができる丸孔状になされた係合孔１ｅがそれぞれ形成されている。
【００４７】
また、図１７に示すように第２の蓋体部材１５Ｂの表面には、掛け金２１がヒンジ２１ａを介して回動可能に取り付けられており、前記掛け金２１に形成された長孔２１ｂが第２の側板２に取り付けられた係合突起２２に係合できるように構成されている。
【００４８】
したがって、前記した蓋体１５を水槽の上部開口に装着するには、前記蓋体１５に取り付けられた前記ヒンジ部材１６を利用して、折り曲げた状態の第１の蓋体部材１５Ａを水槽の上部開口に載置する。
この状態で、第１の蓋体部材１５Ａの内面に取り付けられた一対のシャフト１８の各触指部１８ａを、図１８に示す矢印Ｄ方向にスライドさせて触指部１８ａを放すことで、各シャフト１８は、コイルバネ１９の作用により第１の側板１に形成された係合孔１ｅに入り込み、これにより第１の蓋体部材１５Ａが水槽の上部開口に取り付けられる。
【００４９】
また、第２の蓋体部材１５Ｂを、前記ヒンジ部材１６を介して水槽の上部開口を覆うように展開し、第２の蓋体部材１５Ｂに取り付けられた掛け金２１の長孔２１ｂを、前記第２の側板２に取り付けられた係合突起２２に係合させることで、第２の蓋体部材１５Ｂによって水槽の上部開口を閉塞状態にすることができる。
【００５０】
さらに、前記した第２の側板２の外側面には、図１７に示すようにフック部材２４が取り付けられており、このフック部材２４にはロープの端部を締結することができる。
したがって図１７および図１８に基づいて説明した蓋体１５を、水槽の上部開口に装着した状態で、水槽を例えば釣り場の水中に沈ませた状態にしても、前記ロープの他端部を陸上の固定物などに締結しておくことで、水槽が流失するのを防止することができる。
【００５１】
なお図１７においては、前記フック部材２４は第２の側板２に取り付けた状態で示されているが、このフック部材２４は対向する他方の側板２にも同様に取り付けておくことで、これらを選択的に利用することができる。また水槽を持ち運ぶ際においても、左右２つのフック部材２４を利用することで、取り扱いを容易にすることができる。
【００５２】
図１９は、この考案に係る組立式水槽において各側板同志を連結する高さ方向に長い連結体の他の形態を示すものである。
すなわち、図１９に示す連結体２６は、すでに図８に基づいて説明した連結体３と同様の作用を果たすものである。そして、図２０に各側板１，２の突き合わせにより形成される水槽の隅角部を示したように、連結体２６に形成された平板部２６ａが、この隅角部を内側から覆うようにして取り付けられる。
【００５３】
この場合、図１９に示すように平板部２６ａに対してそれぞれ鋭角状に折り曲げられた一対の係合片２６ｂが、第１および第２の側板１，２に取り付けられた第１および第２ののコーナーガイド４，５（図６、図７参照）に係止される。これにより、各側板１，２同志が連結され、かつ平板部２６ｃによって、各側板１，２の突き合わせ部分の隅角部が内側から覆うようになされる。
また、図１９に示す連結体２６には、前記平板部２６ａに連続してさらに上部に突出する矩形状平板部２６ｃが前記平板部２６ａと一体に形成されている。
【００５４】
この実施の形態においては、図２０に示すように第１と第２の側板１，２によって囲まれて上部開口を形成する各側板の上縁部は、内側に二段の折り曲げ加工が施されることで、二段折り曲げ部１ｂ，２ｂが形成されている。
前記した連結体２６には、その上部に突出する矩形状平板部２６ｃが平板部２６ａに連続して形成されており、この矩形状平板部２６ｃは、前記した二段折り曲げ部１ｂ，２ｂによって形成される上部開口における隅角部を内側から覆うように機能する。
したがって、図２０に示す二段折り曲げ部１ｂ，２ｂの隅角部に隙間が生ずるのを前記した矩形状平板部２６ｃによってカバーすることができる。
【００５５】
以上説明した各実施の形態においては、いずれも４枚の側板１，２を用いて、その外郭が直方体状に形成される水槽を例示しているが、前記した側板は例えば３枚、もしくは５枚以上を用いて連結し、直方体状以外の角柱状に形成させることもできる。
この場合、前記した底板および蓋体は、前記角柱状の形態に応じて適宜の形状に成形されることになる。
【符号の説明】
【００５６】
１      第１の側板
１ａ    折り曲げ部
１ｂ    二段折り曲げ部
１ｃ    通水用開口
１ｄ    平面状折り曲げ部
１ｅ    係合孔
２      第２の側板
２ｂ    二段折り曲げ部
２ｄ    平面状折り曲げ部
３      連結体
３ａ    平板部
３ｂ    係合片
４      第１のコーナーガイド
４ａ    係止片
４ｂ    折り曲げ部
５      第２のコーナーガイド
５ａ    係止片
６      第１の支持部材
６ａ    取り付け部
６ｂ    底板当接部
６ｃ    挿入片
６ｄ    貫通孔
７      第２の支持部材
７ａ    取り付け部
７ｂ    底板当接部
７ｃ    挿入片
７ｄ    貫通孔
８      底板
８ａ    折り曲げ部
８ｂ    スリット
９      ナット板
９ａ    ねじ孔
９ｂ    リベット挿入孔
１０    側板ガード
１０ａ  立上がり片
１１    蓋体
１１ａ  折り曲げ部
１２    装着ねじ
１３    リベット
１５    蓋体
１５Ａ  第１蓋体部材
１５Ｂ  第２蓋体部材
１５ａ  折り曲げ部
１６    ヒンジ部材
１７    取り付け金具
１８    シャフト
１８ａ  触指部
１９    コイルバネ
２１    掛け金
２１ａ  ヒンジ
２１ｂ  長孔
２２    係合突起
２４    フック部材
２６    連結体
２６ａ  平板部
２６ｂ  係合片
２６ｃ  矩形状平板部
【図１】
0003180589.tif 000003
【図２】
0003180589.tif 000004
【図３】
0003180589.tif 000005
【図４】
0003180589.tif 000006
【図５】
0003180589.tif 000007
【図６】
0003180589.tif 000008
【図７】
0003180589.tif 000009
【図８】
0003180589.tif 000010
【図９】
0003180589.tif 000011
【図１０】
0003180589.tif 000012
【図１１】
0003180589.tif 000013
【図１２】
0003180589.tif 000014
【図１３】
0003180589.tif 000015
【図１４】
0003180589.tif 000016
【図１５】
0003180589.tif 000017
【図１６】
0003180589.tif 000018
【図１７】
0003180589.tif 000019
【図１８】
0003180589.tif 000020
【図１９】
0003180589.tif 000021
【図２０】
0003180589.tif 000022